(57)【特許請求の範囲】
【請求項１】
被写体の映像が撮像部に鮮鋭に結像されるよう、光学素子を保持部材の摺動保持部に固着するための、光学素子の装着構造であって、前記光学素子はその外壁に、微調整位置範囲までは光学的軸と平行に進んだ後、微調整位置範囲からは螺旋状に進むように刻まれた一条の案内溝を備えるものであり、前記保持部材の摺動保持部はその内壁に、前記案内溝に係合する摺動突部を備えるものであることを特徴とする光学素子の装着構造。
【請求項２】
被写体の映像が撮像部に鮮鋭に結像されるよう、光学素子を保持部材の摺動保持部に固着するための、光学素子の装着構造であって、前記保持部材の摺動保持部はその内壁に、微調整位置範囲までは光学的軸と平行に進んだ後、微調整位置範囲からは螺旋状に進むように刻まれた一条の案内溝を備えるものであり、前記光学素子はその外壁に、前記案内溝に係合する摺動突部を備えるものであることを特徴とする光学素子の装着構造。
【請求項３】
被写体の映像が撮像部に鮮鋭に結像されるよう、光学素子を保持部材の摺動保持部に固着するための、光学素子の装着構造であって、前記光学素子は螺旋状に進む案内溝を微調整位置範囲の外壁に備えるものであり、前記保持部材の摺動保持部は内壁に対して出没自在に突出付勢され且つ前記案内溝に係合する摺動突部を備え、前記光学素子を前記摺動保持部に挿入することで、前記摺動突部が後退してその付勢力による摺動摩擦力を得ながら前記微調整位置範囲に至って前記螺旋状の案内溝と係合するようになしたことを特徴とする光学素子の装着構造。
【請求項４】
被写体の映像が撮像部に鮮鋭に結像されるよう、光学素子を保持部材の摺動保持部に固着するための、光学素子の装着構造であって、前記保持部材の摺動保持部は螺旋状に進む案内溝を微調整位置範囲の内壁に備えるものであり、前記光学素子は外壁に対して出没自在に突出付勢され且つ前記案内溝に係合する摺動突部を備え、前記光学素子を前記摺動保持部に挿入することで、前記摺動突部が後退してその付勢力による摺動摩擦力を得ながら前記微調整位置範囲に至って前記螺旋状の案内溝と係合するようになしたことを特徴とする光学素子の装着構造。
【請求項５】
前記摺動保持部は立設する複数の保持部材で構成されていることを特徴とする請求項１記載または請求項３記載の光学素子の装着構造。
【請求項６】
前記摺動突部は前記案内溝に隙間無く係合するようにしたことを特徴とする請求項１記載乃至請求項４記載の光学素子の装着構造。
【発明の詳細な説明】
【０００１】
【発明の属する技術分野】
本発明はカメラ付きドアホン子器などに用いられる光学素子の装着構造に関する。
【０００２】
【従来の技術】
近年の住宅にあっては、住人が玄関先に訪れた来訪者の容姿をモニタテレビで監視しながら居間に居ながらにして該来訪者と通話のできる、テレビ付きドアホン装置が、その利便性ゆえに普及してきている。このテレビ付きドアホン装置は、居間に設置するテレビ付きドアホン親器と、玄関先の門柱などに設置するカメラ付きドアホン子器とを含んで構成される。
【０００３】
図５は上述のような従来のカメラ付きドアホン子器における光学素子の装着構造を説明する要部断面図である。図５に示すように、光学素子の装着構造は、光学素子に相当する鏡筒１と、保持部材２とを含んで構成される。鏡筒１は金型にて射出成形された円筒状のプラスチック製の成形品である。鏡筒１は、鏡筒外壁にねじ部１０を備えている。また、鏡筒１は、筒先端にレンズ１１を、筒内根元付近にレンズ１２を、それぞれ備えている。
【０００４】
保持部材２は金型にて射出成形されたプラスチック製の成形品である。保持部材２は、プリント配線板Ｐへの取着部２０と、プリント配線板Ｐに実装した撮像部に相当するＣＣＤ（Ｃｈａｒｇｅ  Ｃｏｕｐｌｅｄ  Ｄｅｖｉｃｅ）  素子Ａを覆う底部凹所２１と、底部凹所２１から天部に貫通するねじ孔２２とを備える。保持部材２は、取着部２０に設けられている取着孔（図示せず）を介してねじＢによりプリント配線板Ｐに取着される。
【０００５】
鏡筒１は、保持部材２のねじ孔２２に、鏡筒外壁のねじ部１０を以て螺着する。また、鏡筒１のねじ部１０の、保持部材２のねじ孔２２に対する螺着の深さは、レンズ１１，１２を通った被写体の映像光がちょうどＣＣＤ素子Ａ上に鮮鋭に結像する位置に調整される。また、一旦、位置調整された鏡筒１は、せっかく調整した位置が振動などで変化しないように、接着材あるいは保持部材２の外壁からねじ孔２２に至る押しねじ（図示せず）などで固定される。
【０００６】
【発明が解決しようとする課題】
しかしながら、上述のような従来の光学素子の装着構造にあっては、鏡筒１を保持部材２に螺合し、被写体の映像が撮像部に鮮鋭に結像される微調整位置範囲に到達させるまでに、鏡筒１を幾回転もさせて保持部材２にかなりねじ込まなければならず、組み立てに時間がかかり生産効率が悪いという問題点があった。
【０００７】
本発明は、上記の問題点を解決するために成されたもので、その目的とするところは、素早く且つ高精度に光学素子を所定位置に装着保持可能にする組み立て性の良い光学素子の装着構造を提供することにある。
【０００８】
【課題を解決するための手段】
本発明は上記の問題点を解決するため、請求項１記載の発明にあっては、被写体の映像が撮像部に鮮鋭に結像されるよう、光学素子を保持部材の摺動保持部に固着するための、光学素子の装着構造であって、前記光学素子はその外壁に、微調整位置範囲までは光学的軸と平行に進んだ後、微調整位置範囲からは螺旋状に進むように刻まれた一条の案内溝を備えるものであり、前記保持部材の摺動保持部はその内壁に、前記案内溝に係合する摺動突部を備えるものであることを特徴とする。
【０００９】
請求項２記載の発明にあっては、被写体の映像が撮像部に鮮鋭に結像されるよう、光学素子を保持部材の摺動保持部に固着するための、光学素子の装着構造であって、前記保持部材の摺動保持部はその内壁に、微調整位置範囲までは光学的軸と平行に進んだ後、微調整位置範囲からは螺旋状に進むように刻まれた一条の案内溝を備えるものであり、前記光学素子はその外壁に、前記案内溝に係合する摺動突部を備えるものであることを特徴とする。
【００１０】
請求項３記載の発明にあっては、被写体の映像が撮像部に鮮鋭に結像されるよう、光学素子を保持部材の摺動保持部に固着するための、光学素子の装着構造であって、前記光学素子は螺旋状に進む案内溝を微調整位置範囲の外壁に備えるものであり、前記保持部材の摺動保持部は内壁に対して出没自在に突出付勢され且つ前記案内溝に係合する摺動突部を備え、前記光学素子を前記摺動保持部に挿入することで、前記摺動突部が後退してその付勢力による摺動摩擦力を得ながら前記微調整位置範囲に至って前記螺旋状の案内溝と係合するようになしたことを特徴とする。
【００１１】
請求項４記載の発明にあっては、被写体の映像が撮像部に鮮鋭に結像されるよう、光学素子を保持部材の摺動保持部に固着するための、光学素子の装着構造であって、前記保持部材の摺動保持部は螺旋状に進む案内溝を微調整位置範囲の内壁に備えるものであり、前記光学素子は外壁に対して出没自在に突出付勢され且つ前記案内溝に係合する摺動突部を備え、前記光学素子を前記摺動保持部に挿入することで、前記摺動突部が後退してその付勢力による摺動摩擦力を得ながら前記微調整位置範囲に至って前記螺旋状の案内溝と係合するようになしたことを特徴とする。
【００１２】
請求項５記載の発明にあっては、前記摺動保持部は立設する複数の保持部材で構成されていることを特徴とする。
【００１３】
請求項６記載の発明にあっては、前記摺動突部は前記案内溝に隙間無く係合するようにしたことを特徴とする。
【００１４】
【発明の実施の形態】
以下、本発明に係る光学素子の装着構造の、第１の実施の形態を図１に基づいて、第２の実施の形態を図２に基づいて、第３の実施の形態を図３に基づいて、第４の実施の形態を図４に基づいて、それぞれ詳細に説明する。
【００１５】
〔第１の実施の形態〕
図１は光学素子の装着構造を示す要部説明図であり、図１（ａ）はプリント配線板に実装した保持部材を説明する正面図、図１（ｂ）はプリント配線板に実装した保持部材を説明する断面図、図１（ｃ）は光学素子を説明する側面図である。なお、図１において、従来の技術で図５を用いて説明した光学素子の装着構造と同等の箇所には同じ符号を付してあるので、同等の箇所の詳細な説明は省略する。
【００１６】
光学素子に相当する鏡筒１は、図１（ｃ）に示すように、金型にて射出成形された円筒状のプラスチック製のものである。鏡筒１は、滑らかな円筒状の外壁１３を備える。鏡筒１の外壁１３は、根元側端１４からレンズ１１の取着された頭部１５の方向にかけて、一条の案内溝１６が刻まれている。該案内溝１６は、先ずは光学的軸Ｑと平行に範囲Ｌ１  だけ進み、その後、光学的軸方向の距離にして範囲Ｌ２  だけ螺旋状に進むように刻まれている。
【００１７】
保持部材２は、図１（ａ）および図１（ｂ）に示すように、金型にて射出成形したプラスチック製のものである。保持部材２は、プリント配線板Ｐへの取着部２０、プリント配線板Ｐに実装した撮像部に相当するＣＣＤ（Ｃｈａｒｇｅ  Ｃｏｕｐｌｅｄ  Ｄｅｖｉｃｅ）  素子Ａを覆う底部凹所２１と、摺動保持部に相当する開口内壁２３と、押しねじＣにより鏡筒１を固定するための押しねじ用ねじ孔２３ｃとを備える。
【００１８】
開口内壁２３は、底部凹所２１から天部に貫通する断面円形の貫通孔の側面であり、その直径はちょうど鏡筒１が嵌入できる大きさにされている。開口内壁２３は、やや天部側に近い位置に摺動突部２３ａを備える。摺動突部２３ａは、ちょうど案内溝１６に係合するとともに、案内溝１６に沿って摺動できる大きさにされている。
【００１９】
上述のような実施の形態の、光学素子の装着構造にあっては、鏡筒１は、プリント配線板Ｐに取着するＣＣＤ素子Ａを底部凹所２１で覆うようにプリント配線板Ｐに取着した保持部材２に、次のように組み付けることができる。すなわち、組み立て作業者は、開口内壁２３で形成される貫通孔に、鏡筒１の根元側端１４を挿入する。その後、組み立て作業者は、鏡筒１を回転させながら、摺動突部２３ａと根元側端１４に達している案内溝１６の部分とを一致させ、案内溝１６を摺動突部２３ａに係合し摺動させながら、鏡筒１を光学的軸Ｑに沿って押し込む。
【００２０】
鏡筒１は、範囲Ｌ１  の間においては直線的に奥に進み、素早く微調整位置範囲に相当する範囲Ｌ２  に達することができる。その後、組み立て作業者は、検査治具に映るテレビ映像を見ながら、鏡筒１を回して螺旋状に形成された部分の案内溝１６を摺動突部２３ａに摺動させて極めて僅かづつ鏡筒１を沈め、最も鮮鋭な被写体の映像を得ることのできる位置を探し出す。そして、押しねじＣをねじ締めし、振動などで最適な位置が狂わないようにする。
【００２１】
なお、押しねじＣの代わりに接着剤により鏡筒１を開口内壁２３に固着しても良く、案内溝１６と摺動突部２３ａとの嵌合摺動状態をきつめにしておけば押しねじＣや接着剤などを用いずとも鏡筒１を開口内壁２３に固定できることは言うまでもない。
【００２２】
つまり、上述の説明から明らかのように、上述のような実施の形態の光学素子の装着構造にあっては、従来の光学素子の装着構造と異なり、鏡筒１が微調整位置範囲Ｌ２  に達するまでの間は、鏡筒１を回転する必要が無く組み立て時間を短縮することができるとともに、鏡筒１が微調整位置範囲Ｌ２  に達してからは鮮鋭な映像を得るための高精度な微妙な調整ができる。
【００２３】
また、従来の保持部材２にあっては、成形時にねじ孔２２（図５に示す）を形成するには、金型のねじ転写部を回転する必要があり、金型が複雑になるとともに成形時に成形品が完全硬化しないと離型できなかったが、上述のような実施の形態の光学素子の装着構造にあっては、貫通孔に摺動突部２３ａを設けるだけなので、金型に回転構造が不要であり、保持部材２の成形時間を短縮できる。
【００２４】
なお、高品位の撮像映像を得るには、案内溝と摺動突部との間に、スポンジゴムや弾力性のある布などを介在させ、外光が正規の光学経路と異なる経路（案内溝など）にて撮像部に射し込むのを防止することが好ましい。
【００２５】
〔第２の実施の形態〕
図２は光学素子の装着構造の要部を示す説明図であり、図２（ａ）はプリント配線板に実装した保持部材を説明する正面図、図２（ｂ）はプリント配線板に実装した保持部材を説明する断面図、図２（ｃ）は光学素子を説明する側面図である。なお、図２において、従来の技術で図５を用いて説明した光学素子の装着構造と同等の箇所には同じ符号を付してあるので、同等の箇所の詳細な説明は省略する。
【００２６】
光学素子に相当する鏡筒１は、図２（ｃ）に示すように、金型にて射出成形された円筒状のプラスチック製のものである。鏡筒１は、滑らかな円筒状の外壁１３を備える。鏡筒１は、根元側端１４にやや近い位置に摺動突部１３ａを備える。摺動突部１３ａは、ちょうど後述の案内溝２４に係合するとともに、案内溝２４に沿って摺動できる大きさにされている。
【００２７】
保持部材２は、図２（ａ）および図２（ｂ）に示すような、金型にて射出成形したプラスチック製のものである。保持部材２は、プリント配線板Ｐへの取着部２０と、プリント配線板Ｐに実装された撮像部に相当するＣＣＤ（Ｃｈａｒｇｅ  Ｃｏｕｐｌｅｄ  Ｄｅｖｉｃｅ）  素子Ａを覆う底部凹所２１と、摺動保持部に相当する開口内壁２３と、押しねじＣにより鏡筒１を固定するための押しねじ用ねじ孔２３ｃとを備える。
【００２８】
開口内壁２３は、底部凹所２１から天部に貫通する断面円形の貫通孔の側面であり、その直径はちょうど鏡筒１が嵌入できる大きさにされている。開口内壁２３は、保持部材２の天部から底部凹所２１にかけて、一条の案内溝２４が刻まれている。該案内溝２４は、先ずは光学的軸Ｑと平行に範囲Ｌ１  だけ進み、その後、光学的軸方向の距離にして範囲Ｌ２  だけ螺旋状に進むように刻まれている。
【００２９】
上述のような実施の形態の光学素子の装着構造にあっては、鏡筒１は、プリント配線板Ｐに取着するＣＣＤ素子Ａを底部凹所２１で覆うようにプリント配線板Ｐに取着した保持部材２に、次のように組み付けることができる。すなわち、組み立て作業者は、開口内壁２３で形成される貫通孔に、鏡筒１の根元側端１４を挿入する。その後、組み立て作業者は、鏡筒１を回転させながら、摺動突部１３ａと保持部材２の天部に達している案内溝２４の部分とを一致させ、案内溝２４に摺動突部１３ａを係合し摺動させながら、鏡筒１を光学的軸Ｑに沿って押し込む。
【００３０】
鏡筒１は、範囲Ｌ１  の間においては直線的に奥に進み、素早く微調整位置範囲に相当する範囲Ｌ２  に達することができる。その後、組み立て作業者は、検査治具に映るテレビ映像を見ながら、鏡筒１を回して螺旋状に形成された部分の案内溝２４に摺動突部１３ａを摺動させて極めて僅かづつ鏡筒１を沈め、最も鮮鋭な被写体の映像を得ることのできる位置を探し出す。そして、押しねじＣをねじ締めし、振動などで最適な位置が狂わないようにする。
【００３１】
なお、押しねじＣの代わりに接着剤により鏡筒１を開口内壁２３に固着しても良く、案内溝２４と摺動突部１３ａとの嵌合摺動状態をきつめにしておけば押しねじＣや接着剤などを用いずとも鏡筒１を開口内壁２３に固定できることは言うまでもない。
【００３２】
つまり、上述の説明から明らかのように、上述のような実施の形態の光学素子の装着構造にあっては、従来の光学素子の装着構造と異なり、鏡筒１が微調整位置範囲Ｌ２  に達するまでの間は、鏡筒１を回転する必要が無く組み立て時間を短縮することができるとともに、鏡筒１が微調整位置範囲Ｌ２  に達してからは鮮鋭な映像を得るための高精度な微妙な調整ができる。
【００３３】
なお、高品位の撮像映像を得るには、案内溝と摺動突部との間に、スポンジゴムや弾力性のある布などを介在させ、外光が正規の光学経路と異なる経路（案内溝など）にて撮像部に射し込むのを防止することが好ましい。
【００３４】
〔第３の実施の形態〕
この第３の実施の形態の光学素子の装着構造が、前述の第１の実施の形態または第２の実施の形態と異なり特徴となるのは、摺動突部の構成である。
【００３５】
図３は摺動突部を示す断面図である。図３において、３０は摺動突部を形成するプラスチック製の球である。この球３０は、根元側はタップ加工され、中間部は円柱状であり、先端は円錐台形である、貫通孔の先端から突出している。もちろん、球３０の直径は円錐台形の先端の円の直径よりも大きくされ、脱落しないようにされている。しかも、球３０は、貫通孔の中間部に介在するゴムまたはバネなどの弾性体３１により、突出する方向に常に付勢される。また、弾性体３１は、突出する球３０が先端方向から押圧されても、弾性体３１の位置がずれてしまい球３０に対する付勢力が消失してしまわないように、貫通孔の根元側からは押しねじ３２がねじ込まれている。
【００３６】
この第３の実施の形態の光学素子の装着構造にあっては、上述したような摺動突部が、第１の実施の形態として説明した光学素子の装着構造における摺動突部２３ａ（図１に示す）、あるいは、第２の実施の形態として説明した光学素子の装着構造における摺動突部１３ａ（図２に示す）、として用いられる。
【００３７】
従って、組み立て作業者は、鏡筒の根元側端を保持部材の開口内壁で形成される貫通孔に挿入すれば、案内溝の開始位置をいちいち探さなくても、摺動突部は後退するとこから鏡筒の挿入が可能であり、しかも、摺動突部の付勢力による適度な摺動摩擦力を得ながら微調整位置範囲に素早く至らしめることができる。
【００３８】
その後、組み立て作業者は、上述したような摺動突部が微調整位置範囲の螺旋状に成っている案内溝に係合した時点から、検査治具に映るテレビ映像を見ながら鏡筒を回動し、極めて僅かづつ鏡筒を沈めたり浮かせたりして、最も鮮鋭な被写体の映像を得ることのできる位置を探し出す。そして、最適な位置が振動などで狂わないように、押しねじや接着にて、鏡筒を保持部材に固定する。
【００３９】
つまり、上述の説明から明らかのように、上述のような実施の形態の光学素子の装着構造にあっては、従来の光学素子の装着構造と異なるとともに、前述の第１の実施の形態と第２の実施の形態とに存在する光学的軸と平行な部分の案内溝は不要にして、微調整位置範囲にのみ螺旋状の案内溝を設けるだけで、鏡筒が微調整位置範囲に達するまでの間は鏡筒を回転する必要が無く組み立て時間を短縮することができ、鏡筒が微調整位置範囲に達してからは鏡筒を回動することにより鮮鋭な映像を得るための高精度な微妙な調整ができる。しかも、付勢されている摺動突部により、適度な摩擦を得ることができ、作業者が最も鮮鋭な被写体の映像を得るための調整をしているときに手を放しても位置狂いが生じ難く、至極調整のし易い光学素子の装着構造とすることができる。
【００４０】
なお、高品位の撮像映像を得るには、案内溝と摺動突部との間に、スポンジゴムや弾力性のある布などを介在させ、外光が正規の光学経路と異なる経路（案内溝など）にて撮像部に射し込むのを防止することが好ましい。
【００４１】
〔第４の実施の形態〕
図４は光学素子の装着構造の要部を示す説明図であり、図４（ａ）はプリント配線板に実装した保持部材を説明する正面図、図４（ｂ）はプリント配線板に実装した保持部材を説明する断面図、図４（ｃ）は光学素子を説明する側面図である。なお、図４において、従来の技術で図５を用いて説明した光学素子の装着構造と同等の箇所には同じ符号を付してあるので、同等の箇所の詳細な説明は省略する。
【００４２】
図４に示すように、この第４の実施の形態の光学素子の装着構造が、前述の第１の実施の形態または第２の実施の形態と異なり特徴となるのは、摺動保持部の構成である。すなわち、該光学素子の装着構造の摺動保持部にあっては、保持部材２に穿設された貫通孔である開口内壁としてではなく、それぞれ分離した、第１の保持部材２ａに設けた摺動保持部の一部と、第２の保持部材２ｂに設けた摺動保持部の一部とを、適宜集合配置して意味のなす摺動保持部としている構成である。
【００４３】
上述のような集合配置して意味のなす、分割された保持部材にあっては、前述の第２の実施の形態のように、摺動保持部に設けた螺旋状の部分を含む案内溝が必要であっても、金型が複雑にならず、保持部材の成形時間を短縮できる。
【００４４】
【発明の効果】
本発明によれば、光学素子が微調整位置範囲に達するまでの間は光学素子を回転する必要が無く組み立て時間を短縮することができるとともに、光学素子が微調整位置範囲に達してからは、案内溝の螺旋状の部分と摺動突部とを摺動させながら光学素子を回転させることによって、鮮鋭な映像を得るために、極めて僅かづつ光学的軸方向の位置変化を与えて高精度な微妙な調整ができるという効果を奏する。
すなわち、請求項１記載の発明によれば、光学素子が微調整位置範囲に達するまでの間は光学素子を回転する必要が無く組み立て時間を短縮することができるとともに、光学素子が微調整位置範囲に達してからは、光学素子の案内溝の螺旋状の部分を摺動保持部の摺動突部に摺動させながら光学素子を回転させることによって、鮮鋭な映像を得るために、極めて僅かづつ光学的軸方向の位置変化を与えて高精度な微妙な調整ができ、しかも、保持部材を成形するための金型が簡単で且つ成形時間の短縮できる、優れた光学素子の装着構造を提供できるという効果を奏する。
【００４５】
請求項２記載の発明によれば、光学素子が微調整位置範囲に達するまでの間は光学素子を回転する必要が無く組み立て時間を短縮することができるとともに、光学素子が微調整位置範囲に達してからは、保持部材の摺動保持部の案内溝の螺旋状の部分に、光学素子の摺動突部を摺動させながら、光学素子を回転させることによって、鮮鋭な映像を得るために、極めて僅かづつ光学的軸方向の位置変化を与えて高精度な微妙な調整のできる、優れた光学素子の装着構造を提供できるという効果を奏する。
【００４６】
請求項３記載の発明によれば、光学的軸と平行な部分の案内溝は不要にして、微調整位置範囲にのみ螺旋状の案内溝を設けるだけで、光学素子が微調整位置範囲に達するまでの間は光学素子を回転する必要が無く組み立て時間を短縮することができるとともに、光学素子が微調整位置範囲に達してからは、光学素子の案内溝の螺旋状の部分を摺動保持部の摺動突部に摺動させながら光学素子を回転させることによって、鮮鋭な映像を得るために、極めて僅かづつ光学的軸方向の位置変化を与えて高精度な微妙な調整ができ、しかも、保持部材を成形するための金型が簡単で且つ成形時間の短縮できる、優れた光学素子の装着構造を提供できるという効果を奏する。
【００４７】
請求項４記載の発明によれば、光学的軸と平行な部分の案内溝は不要にして、微調整位置範囲にのみ螺旋状の案内溝を設けるだけで、光学素子が微調整位置範囲に達するまでの間は光学素子を回転する必要が無く組み立て時間を短縮することができるとともに、光学素子が微調整位置範囲に達してからは、保持部材の摺動保持部の案内溝の螺旋状の部分に、光学素子の摺動突部を摺動させながら、光学素子を回転させることによって、鮮鋭な映像を得るために、極めて僅かづつ光学的軸方向の位置変化を与えて高精度な微妙な調整のできる、優れた光学素子の装着構造を提供できるという効果を奏する。
【００４８】
請求項５記載の発明によれば、保持部材は、複数に分割されているので、保持部材のための成形金型が複雑にならず、保持部材の成形時間を短縮でき、光学素子が微調整位置範囲に達するまでの間は光学素子を回転する必要が無く組み立て時間を短縮することができるとともに、光学素子が微調整位置範囲に達してからは、光学素子の案内溝の螺旋状の部分を摺動保持部の摺動突部に摺動させながら光学素子を回転させることによって、鮮鋭な映像を得るために、極めて僅かづつ光学的軸方向の位置変化を与えて高精度な微妙な調整のできる、優れた光学素子の装着構造を提供できるという効果を奏する。
【００４９】
請求項６記載の発明によれば、請求項１記載乃至請求項４記載の効果に加えて更に、外光が正規の光学経路と異なる案内溝などの経路にて撮像部に射し込むのを防止できるので、高品位の撮像映像を得ることのできる、優れた光学素子の装着構造を提供できるという効果を奏する。
【図面の簡単な説明】
【図１】本発明に係る一実施の形態の光学素子の装着構造の要部を示す説明図である。
【図２】他の実施の形態の光学素子の装着構造を示す要部説明図である。
【図３】更に他の実施の形態の光学素子の装着構造を示す要部説明図である。
【図４】また更に他の実施の形態の光学素子の装着構造を示す要部説明図である。
【図５】従来の光学素子の装着構造の要部を説明する断面図である。
【符号の説明】
１      光学素子（鏡筒）
１３    外壁
１３ａ  摺動突部
１６    案内溝
２      保持部材
２３    摺動保持部（開口内壁）
２３ａ  摺動突部
２４    案内溝
３０    摺動突部（球）
Ｌ2      微調整位置範囲
Ｑ      光学的軸
【図１】
0003596106.tif 000002
【図２】
0003596106.tif 000003
【図３】
0003596106.tif 000004
【図４】
0003596106.tif 000005
【図５】
0003596106.tif 000006